(57)【要約】【課題】  的確でかつ効率のよい受付処理を行うことのできる受付プログラムを提供することを目的とする。【解決手段】  コンピュータを、医療機関内に複数設置されたセンサから、それらセンサが感知した患者識別子とそれらセンサのセンサ識別子を受信する受信手段７１と、受信手段７１によって受信した上記患者識別子と上記センサ識別子との組合せが受付テーブルに格納されているか否かを判定し、格納されていた場合はその組合せを削除し、格納されていなかった場合はその組合せを格納する仮受付手段７２と、定期的に上記受付テーブルを参照し、格納されてから所定時間以上経過している組合せが存在した場合には、その組合せを受付状態に更新する受付手段７３として動作させるプログラムである。【選択図】        図１３
2005332153.tif 000002
【特許請求の範囲】
【請求項１】
コンピュータを、
医療機関内に複数設置されたセンサから、該センサが感知した患者識別子と該センサのセンサ識別子を受信する受信手段と、
前記受信手段によって受信した前記患者識別子と前記センサ識別子との組合せが受付テーブルに格納されているか否かを判定し、格納されていた場合は該組合せを削除し、格納されていなかった場合は該組合せを格納する仮受付手段と、
定期的に前記受付テーブルを参照し、格納されてから所定時間以上経過している組合せが存在した場合には、該組合せを受付状態に更新する受付手段として動作させることを特徴とする受付プログラム。
【請求項２】
前記仮受付手段は、前記組合せとともに、前記センサ識別子によって特定される診療科を表す診療科コードを格納することを特徴とする請求項１記載の受付プログラム。
【請求項３】
前記仮受付手段は、前記受信手段によって受信した前記患者識別子が、患者識別子と診療科コードの組合せを格納した予約マスタに存在した場合は、前記受付テーブルに該患者識別子と該診療科コードの組合せを格納するとともに、該組合せを受付状態に更新することを特徴とする請求項２記載の受付プログラム。
【発明の詳細な説明】
【技術分野】
【０００１】
本発明は、病院や診療所などにおける患者の診察受付処理を行う受付プログラムに関する。
【背景技術】
【０００２】
従来、病院や診療所などでは、診療を受けようとする患者は受付窓口で、携帯した診察券カードを窓口担当者に提出し、窓口担当者はその診察券カードに記録された患者ＩＤなどの患者情報に基づき受付処理を行っているところが多い。
【０００３】
しかし、このような方式の受付処理では、受付窓口に担当者を配置しておく必要がある上に、受付処理に相当の時間がかかるため、患者が多い場合は受付窓口に行列ができやすく、体調の悪い患者もその行列に並ばねばならないという問題がある。
【０００４】
そこで、患者ＩＤが記録された患者ＩＤカードを患者に携帯させておき、病院内に備えられた再来受付機で患者の携帯する患者ＩＤカードを読み込み、読み込まれた患者ＩＤなどの情報に基づき自動的に診察受付処理を行うようにした病院受付装置が普及しつある。
【０００５】
例えば、病院内の特定エリアへの入退者管理と、それによる患者や医療従事者などの位置管理を正確且つスムースに行えるようにするとともに、患者の診察受付処理の簡略化を図った病院管理システムが開示されている（例えば、特許文献１参照。）。
【０００６】
この病院管理システムは、病院内へ入退場する患者が携帯するＩＣカードと、そのＩＣカードと非接触で通信を行うＩＣカード読取装置とからなり、ＩＣカード読取装置が、病院内各エリア内ヘのＩＣカードの入場を識別した場合には、そのＩＣカードに対して応答信号を送信し、応答信号を受信したＩＣカードはそのＩＣカードに登録されているＩＤ情報をＩＣカード読取装置に送信し、ＩＤ情報を受信したＩＣカード読取装置はそのＩＤ情報を所定のメモリに登録する。また、ＩＣカード読取装置がＩＣカードの特定エリア外への退場を識別した場合には、上記メモリに登録されたＩＤ情報を削除することにより特定エリアへの入退者を管理できるように構成されている。
【特許文献１】特開平５−２６６０３８号公報（第２０＿４頁、図１）
【発明の開示】
【発明が解決しようとする課題】
【０００７】
上記の特許文献１に記載された病院管理システムでは、ＩＣカードに個々の患者を特定する患者ＩＤなどの情報を記録させておくとともに、ホストコンピュータに各患者ＩＤに対応した診察履歴情報、すなわちカルテ記載情報を記録しておくことにより、ＩＣカード読取装置で受信したＩＤ情報に基づき自動的に診察受付処理を行うことが可能である。
【０００８】
しかし、上記の病院管理システムでは、ＩＣカード読取装置で受信したＩＤ情報に基づき診察受付処理を行うことはできてもその患者が当日どの診療科の診察受付を望んでいるのかはシステムには判らないことから自動受付処理を適用することは困難である。また、ＩＣカードを携帯した人が診察以外の目的でＩＣカード読取装置の設置された場所を通過した場合でも無用な診察受付処理を行ってしまうことがあるため、診察受付処理の効率が低下するなどという問題がある。
【０００９】
本発明は、上記事情に鑑み、的確でかつ効率のよい受付処理を行うことのできる受付プログラムを提供することを目的とする。
【課題を解決するための手段】
【００１０】
上記課題を解決する本発明の受付プログラムは、
コンピュータを、
医療機関内に複数設置されたセンサから、そのセンサが感知した患者識別子とそのセンサのセンサ識別子を受信する受信手段と、
上記受信手段によって受信した上記患者識別子と上記センサ識別子との組合せが受付テーブルに格納されているか否かを判定し、格納されていた場合はその組合せを削除し、格納されていなかった場合はその組合せを格納する仮受付手段と、
定期的に上記受付テーブルを参照し、格納されてから所定時間以上経過している組合せが存在した場合には、その組合せを受付状態に更新する受付手段として動作させることを特徴とする。
【００１１】
ここで、上記仮受付手段は、上記組合せとともに、上記センサ識別子によって特定される診療科を表す診療科コードを格納するものであってもよい。
【００１２】
また、上記仮受付手段は、上記受信手段によって受信した上記患者識別子が、患者識別子と診療科コードの組合せを格納した予約マスタに存在した場合は、上記受付テーブルにその患者識別子とその診療科コードの組合せを格納するとともに、その組合せを受付状態に更新するものであってもよい。
【発明の効果】
【００１３】
本発明の受付プログラムによれば、上記の受信手段、仮受付手段、及び受付手段を備えたことにより、患者が入場した待合所に所定時間留まった患者についてその待合所に応じた診察科目の診察受付処理のみが行われ、その待合所を単に通過したに過ぎない患者の診察受付処理は行われないので効率のよい診察受付処理が行われる受付プログラムを実現することができる。
【発明を実施するための最良の形態】
【００１４】
以下図面を参照して本発明の実施の形態を説明する。
【００１５】
図１は、本発明の受付プログラムの一実施形態に基づく受付装置のブロック図である。
【００１６】
図１に示すように、この受付装置１は、待合所への出入口に設けられた、患者ＩＤカードから発信された情報を読み取る待合所センサ２０と、待合所センサ２０による患者識別子（本実施形態においては患者ＩＤを用いることとする）の受信に基づいて診察受付処理を行う受付処理部６０を備えている。この受付処理部６０には、受付テーブル６１、受信手段６２、仮受付手段６３、受付手段６４が備えられている。
【００１７】
受付テーブル６１は、受付情報を管理するものであり、受信手段６２は、医療機関内に複数設置されたセンサから、そのセンサが感知した患者識別子とそのセンサのセンサ識別子を受信するものであり、仮受付手段６３は、受信手段６２によって受信した上記患者識別子と上記センサ識別子との組合せが受付テーブル６１に格納されているか否かを判定し、格納されていた場合はその組合せを削除し、格納されていなかった場合はその組合せを格納するものであり、受付手段６４は、定期的に受付テーブル６１を参照し、格納されてから所定時間以上経過している組合せが存在した場合には、その組合せを受付状態に更新するものである。
【００１８】
患者ＩＤカードとしては、各患者の患者ＩＤが記録され記録された情報を無線で送信するＩＣタグを内蔵したカードが用いられる。
【００１９】
さらに、この実施形態の受付装置１では、病院への出入口に設けられた、患者ＩＤカードから発信された情報を読み取る病院入口センサ２が備えられている。病院入口センサ２としては、待合所センサ２０と同様のセンサが用いられる。なお、この受付処理部６０は、この病院に備えられたコンピュータシステム上に形成される。
【００２０】
また、この受付処理部６０は、ネットワーク１０により病院入口センサ２および待合所センサ２０と接続されている。
【００２１】
図２は、本実施形態の受付装置のハードウエア構成を示す図である。
【００２２】
図２に示すように、この受付装置１は、内科第１待合所１１、内科第２待合所１２、外科第１待合所１３、外科第２待合所１４、耳鼻科待合所１５の各出入口に設けられた、患者ＩＤカードから発信された情報を読み取る待合所センサ２０＿１，２０＿２，２０＿３，２０＿４，２０＿５と、電算室５内に配備されたサーバ５０とを備えている。
【００２３】
これらの待合所センサ２０＿１，２０＿２，２０＿３，２０＿４，２０＿５は、図１に示した待合所センサ２０に相当するものであり、患者ＩＤが記録され記録された情報を無線で送信するＩＣタグを内蔵した患者ＩＤカードから発信される情報を読み取るものである。
【００２４】
サーバ５０には、前述の受付処理部６０が形成されている。
【００２５】
ここで、上記各待合所１１，１２，１３，１４，１５はそれぞれ内科、外科、耳鼻科の各診察科目に対応付けられており、内科診察室６、外科診察室７、耳鼻科診察室８に隣接した場所に配置されている。
【００２６】
さらに、この実施形態では、病院への出入口に、患者ＩＤカードから発信された情報を読み取る病院入口センサ２が設けられている。
【００２７】
内部に受付処理部６０が形成されたサーバ５０は、ネットワーク１０により、病院入口センサ２、各待合所センサ、および総合受付３、会計窓口４、内科診察室６、外科診察室７、耳鼻科診察室８などに備えられた端末と接続されている。
【００２８】
病院入口センサ２としては、待合所センサ２０＿１，２０＿２，２０＿３，２０＿４，２０＿５と同様のセンサが備えられている。
【００２９】
次に、本実施形態の受付装置で用いられる各種マスタファイル、テーブル類について説明する。
【００３０】
図３は、本実施形態の受付装置で用いられる場所マスタの内容を示す図である。
【００３１】
図３に示すように、この場所マスタ３１には、病院内の場所を表す場所コード３１ａ及び場所名３１ｂの２項目が設けられている。これら２項目からなる場所レコード３１＿１，３１＿２０＿３１＿３，３１＿４，３１＿５，３１＿６には、図２に示した正面玄関、内科第１待合所、内科第１待合所、内科第２待合所、外科第１待合所、外科第２待合所、耳鼻科待合所などの場所ごとに場所コード３１ａがそれぞれ設定され、サーバ５０（図２参照）内に形成された場所マスタに登録されている。
【００３２】
図４は、本実施形態の受付装置で用いられるＩＣセンサマスタの内容を示す図である。
【００３３】
図４に示すように、このＩＣセンサマスタ３２には、この受付装置に設けられた病院入口センサおよび各診療科の待合所センサに備えられたＩＣセンサの識別情報であるＩＣセンサＩＤ３２ａ、診療科を表す診療科コード３２ｂ、場所を表す場所コード３２ｃ、および受付判定基準時間３２ｄ（詳細は後述する）の４項目が設けられている。これら４項目からなるＩＣセンサレコード３２＿１，３２＿２０＿３２＿３，３２＿４，３２＿５，３２＿６は、それぞれ上記場所マスタ３１（図３参照）の各場所レコードに対応して設定され、サーバ５０（図２参照）内に形成された場所マスタに登録されている。
【００３４】
なお、上記の受付判定基準時間３２ｄは、本発明にいう所定時間に相当するものである。
【００３５】
図５は、本実施形態の受付装置で用いられる診療科マスタの内容を示す図である。
【００３６】
図５に示すように、この診療科マスタ３３には、診療科コード３３ａ、診療科名３３ｂ、診療科略称３３ｃの３項目が設けられている。これら３項目からなるＩＣセンサレコード３３＿１，３３＿２０＿３３＿３，３３＿４，３３＿５，３３＿６は、それぞれ各診療科ごとに設定され、診療科マスタ３３に登録されている。
【００３７】
図６は、本実施形態の受付装置で用いられる予約マスタの内容を示す図である。
【００３８】
図６に示すように、この予約マスタ３４には、患者を表す患者ＩＤ３４ａ、予め診察を予約した日を表す予約日３４ｂ、予約の開始時刻および予約の終了時刻が記録される予約開始時刻３４ｃおよび予約終了時刻３４ｄ、診療科を表す診療科コード３４ｅなどの項目が設けられている。これらの各項目からなる予約レコード３４＿１，３４＿２０＿３４＿３は、診察室、病院総合受付窓口、または電話などによる患者からの希望条件などに基づき作成され、サーバ５０（図２参照）内に形成された予約マスタに登録される。
【００３９】
図７及び図８は、本実施形態の受付装置で用いられる受付番号テーブルの内容を示す図である。
【００４０】
図７及び図８に示すように、この受付番号テーブル４１（ステップＳ０１）は、受付処理部６０（図１参照）により当日の受付処理により更新された受付番号の最大値である最大受付番号４１ａが記録されるようになっている。
【００４１】
図９、図１０、図１１、図１２は、本実施形態の受付装置で用いられる受付テーブルの内容の変化を示す図である。
【００４２】
図９、図１０、図１１、図１２に示すように、この受付テーブル４２には、受付処理部６０（図１参照）により当日の受付処理により更新された各受付レコード４２＿１，レコード４２＿２，…について、患者を表す患者ＩＤ４２ａ、予約がある場合は予約された診察日の日付を表す予約日４２ｂ、受付処理が行われた時刻を表す受付時刻４２ｃ、診療科を表す診療科コード４２ｄ、受付処理により採番された受付番号４２ｅ、患者ＩＤを感知したＩＣセンサを表すＩＣセンサＩＤ４２ｆ、そのＩＣセンサが患者ＩＤを感知開始した時刻および感知終了した時刻を表すＩＣセンサ感知開始時刻４２ｇおよびＩＣセンサ感知終了時刻４２ｈ、および受付フラグ４２ｉ、予約有フラグ４２ｊなどが記録されるようになっている。
【００４３】
上記受付フラグ４２ｉには受付が終了した場合には“１”が記録され、受付が終了していない場合には“０”が記録されるようになっており、また、予約有フラグ４２ｊには予約がある場合には“１”が記録され、予約がない場合には“０”が記録されるようになっている。
【００４４】
次に、本発明の受付プログラムの実施形態及びその受付プログラムを記録する受付プログラム記録媒体について説明する。
【００４５】
図１３は、本実施形態の受付プログラム及び受付プログラム記録媒体の概略構成を示す図である。
【００４６】
この受付プログラム７０は、例えば、図２に示したサーバ５０内に形成され、コンピュータ（サーバ５０）を、医療機関内に複数設置されたセンサから、それらのセンサが感知した患者識別子とそれらのセンサのセンサ識別子を受信する受信手段７１と、受信手段７１によって受信した上記患者識別子と上記センサ識別子との組合せが受付テーブルに格納されているか否かを判定し、格納されていた場合はその組合せを削除し、格納されていなかった場合はその組合せを格納する仮受付手段７２と、定期的に上記受付テーブルを参照し、格納されてから所定時間以上経過している組合せが存在した場合には、その組合せを受付状態に更新する受付手段７３として動作させるものである。
【００４７】
また、上記仮受付手段７２は、上記組合せとともに、上記センサ識別子によって特定される診療科を表す診療科コードを格納するものであってもよく、また、上記仮受付手段７２は、受信手段７１によって受信した上記患者識別子が、患者識別子と診療科コードの組合せを格納した予約マスタに存在した場合は、上記受付テーブルに上記患者識別子と上記診療科コードの組合せを格納するとともに、その組合せを受付状態に更新するものであってもよい。
【００４８】
また、上記受付手段７３は、受付状態に更新する組合せの患者識別子と同じ患者識別子が含まれる組合せが既に受付状態で上記受付テーブルに存在した場合は、既に存在していた組合せに対する受付番号より前の受付番号を付与したうえで受付状態に更新するものであってもよい。
【００４９】
上記受付プログラム７０は、図１３に示した受付プログラム記録媒体８０に記録される。受付プログラム記録媒体８０は、コンピュータ、例えば、図２に示すサーバ５０を、受信手段７１と、仮受付手段７２と、受付手段７３として動作させる受付プログラム７０を記録したコンピュータ読み取り可能な記録媒体である。これらの受信手段７１、仮受付手段７２、及び受付手段７３は、上記受付プログラム７０を構成する各手段と同じものであるので詳細な説明は省略する。
【００５０】
図１４は、本実施形態の受付プログラムの動作を示すフローチャートの前半部分を示す図である。
【００５１】
図１４に示すように、病院の正面玄関に備えられた病院入口センサ２（図２参照）が、患者の携帯する患者ＩＤカードから発信された患者ＩＤを読み取る（ステップＳ０１）。例えば、場所マスタ３１（図３参照）に記録されている場所レコード３１＿１（正面玄関）に備えられたＩＣセンサＩＤ３２ａ：“Ａ１００”（図４参照）なる病院入口センサ２（図１、２参照）が患者ＩＤ：“１０００１”を読み取ると、その患者ＩＤ：“１０００１”が予約マスタ３４（図６参照）に記録されているか否かを判定する（ステップＳ０２）。
【００５２】
ステップＳ０２における判定の結果、予約マスタ３４に記録されている場合はステップＳ０３に進み受付番号採番処理が行われ、予約マスタ３４に記録されていない場合は図１５に示すフローチャートの後半部分に進む。
【００５３】
ステップＳ０３における受付番号採番処理では、受付番号テーブル４１（図７参照）に記録されている最大受付番号４１ａの値“１０”を読み出し、それに “１”を加算して新たな値“１１”を得、その値で受付番号テーブル４１の最大受付番号４１ａを更新する（図７参照）。
【００５４】
次に、受付処理部６０（図１参照）は、予約マスタ３４（図６参照）の患者ＩＤ：“１０００１”の予約レコード３４＿１（図６参照）から診療科コード３４ｅ：“００１”を読み出す。そして、その診療科コード：“００１”を、受付日：“２００４／３／４”、受付時刻“０９：３１：３０”、受付番号：“１１”、正面玄関の病院入口センサ２（図２参照）のＩＣセンサＩＤ：“Ａ１００”、そのＩＣセンサ感知開始時刻：“０９：３１：３０”およびＩＣセンサ感知終了時刻：“０９：３１：３１”などとともに、受付テーブル４２（図９参照）に受付レコード４２＿１として記録する（ステップＳ０４）。なお、この受付レコード４２＿１の受付済フラグ４２ｈ、予約有フラグ４２ｊには、それぞれ受け済み、予約済みを表す“１”が記録される。
【００５５】
次に、フローチャートの後半部分における処理が行われる。
【００５６】
図１５は、本実施形態の受付プログラムの動作を示すフローチャートの後半部分を示す図である。
【００５７】
図１５に示すように、この患者の診療科“００１”、すなわち内科第１待合所１１（図２参照）への出入口に設けられた待合所センサ２０＿１（ＩＣセンサＩＤ：“Ａ１０１”）により、この患者の患者ＩＤカードの患者ＩＤ：“１０００２”が読み取られる（ステップＳ１１）。
【００５８】
次に、受付テーブル４２（図１０参照）に、未受付状態（受付済フラグ４２ｈ：“０”）の受付レコード４２＿２が追加される（ステップＳ１２）。
【００５９】
次に、この患者が内科第１待合所１１の待合所センサ２０＿１を通過してからの経過時間が、ＩＣセンサマスタ３２（図４参照）に登録されている受付判定基準時間３２ｄを満たしているか否かの判定が行われる（ステップＳ１３）。
【００６０】
ステップＳ１３における判定の結果、経過時間がＩＣセンサマスタ３２に定められている受付判定基準時間３２ｄを満たしている場合はステップＳ１７に進み受付番号採番処理が行われる。
【００６１】
受付テーブル４２（図１０参照）に記録されている受付レコード４２＿２の場合は、ＩＣセンサ感知開始時刻４２ｇからＩＣセンサ感知終了時刻４２ｈ間での経過時間がＩＣセンサマスタ３２に定められている受付判定基準時間３２ｄ：“１６０秒”に達していないので、ステップＳ１３における判定の後、ステップＳ１４に進み、経過時間が“受付判定基準時間”を満たす前に同じ待合所センサ２０＿１を再度通過したか否かの判定が行われる（ステップＳ１４）。
【００６２】
ステップＳ１４における判定の結果、経過時間が“受付判定基準時間”を満たす前に再度、同じ待合所センサ２０＿１を通過した場合はステップＳ１６に進む。
【００６３】
ステップＳ１６において、上記図１０に示す例では、この患者は単にこの待合所を通過しただけであると見なされ、受付テーブル４２（図１０参照）に登録された受付レコード４２＿２は受付テーブル４２から削除されて図１１に示す状態となる。こうして、この患者の受付処理が完了する。
【００６４】
このように、この待合所に所定時間留まった患者についてその待合所に応じた診療科目に関する受付レコードのみが受付テーブルに登録され、それ以外の不要な受付レコードは受付テーブル４２から削除されるので、診察受付処理が効率化される。
【００６５】
ステップＳ１４における判定の結果、経過時間が“受付判定基準時間”を満たす前に同じ待合所センサ２０＿１を通過してはいない場合には、タイマ監視処理が行われる（ステップＳ１５）。
【００６６】
次に、ステップＳ１３に戻り経過時間が“受付判定基準時間”を満たしているか否かの判定が繰り返される。
【００６７】
ステップＳ１７の受付番号採番処理では、受付番号テーブル４１（図８参照）に記録されている最大受付番号４１ａの値“１１”を読み出し、それに “１”を加算して新たな値“１２”を得、受付番号テーブル４１（図８参照）の最大受付番号４１ａを“１２”に更新するとともに受付テーブル４２（図１２参照）の受付番号４２ｅに“１２”を書き込むとともに、その受付フラグ４２ｉに “１” を書き込む（ステップＳ１８）。
【００６８】
次に、予約マスタ３４（図６参照）の中に、当日の他の診療科の予約、ただし予約開始時刻３４ｃ（図６参照）以前である予約レコードがあるか否かを判定する（ステップＳ１９）。
【００６９】
ステップＳ１９における判定の結果、予約マスタ３４に当日の他の診療科の予約がない場合は受付処理を完了する。
【００７０】
ステップＳ１９における判定の結果、予約マスタ３４に当日の他の診療科の予約がある場合はステップＳ２０に進み受付番号採番処理が行われる。
【００７１】
ステップＳ２０における受付番号置換処理では、当日の他の診療科の予約レコードの予約開始時刻をチェックし、その予約開始時刻よりもＩＣセンサ感知開始時刻の方が早い時刻であれば、予約済の診療科の受付番号と予約なしで取得した受付番号とを入れ替える。
【００７２】
図１６は、本実施形態における受付番号置換処理を説明する図である。
【００７３】
図１６に示したように、予約なしのまま当日受付られて受付番号：“９”が付番された患者（ＩＤ：“１０００２”）の受付レコード４２＿２のほかに、同じ患者の予約に基づく他の診療科の受付レコード４２＿４が存在する場合について説明する。
【００７４】
この場合には、当日のＩＣセンサ感知開始時刻 “１０：０５：２０＿３”が、上記予約に基づく他の診療科の受付レコード４２＿４の予約開始時刻よりも前であれば、当日の受付レコード４２＿２の受付番号“１２”と、予約に基づく受付レコード４２＿４の受付番号“９”とを置換する。
【００７５】
本実施形態では、患者の呼出しは受付番号の順に行われるようになっているので、上記のように受付番号の置換処理を行うことによって、内科の診察と外科の診察の双方を受け付けた場合に、診療科コード“００１”（内科）の診察の方を診療科コード“００２”（外科）の診察よりも先に行うように変更されるので、患者にも病院側にも好ましい受付処理を実現することができる。
【００７６】
次に、本発明の受付プログラムの第２の実施形態について説明する。
【００７７】
この第２の実施形態は、予約の有無に応じた処理を省いた診療受付処理を行うように構成される。すなわち、この第２の実施形態に基づく受付装置では、図１、図２に示した受付装置の構成要素から病院入口センサ２を除いた構成となる。この受付装置では、図１５に示したフローチャートの先頭のステップＳ１１から処理が開始される。ステップＳ１１以降の処理内容は前述の予約の有無に応じた処理を含む第１の実施形態における処理内容と同様なので詳細な説明は省略する。
【００７８】
この第２の実施形態によれば予約の有無に応じた処理を省いたことにより、より簡略化された受付装置を実現することができる。
【００７９】
以下に本発明の各種態様を付記する。
【００８０】
（付記１）
コンピュータを、
医療機関内に複数設置されたセンサから、該センサが感知した患者識別子と該センサのセンサ識別子を受信する受信手段と、
前記受信手段によって受信した前記患者識別子と前記センサ識別子との組合せが受付テーブルに格納されているか否かを判定し、格納されていた場合は該組合せを削除し、格納されていなかった場合は該組合せを格納する仮受付手段と、
定期的に前記受付テーブルを参照し、格納されてから所定時間以上経過している組合せが存在した場合には、該組合せを受付状態に更新する受付手段として動作させることを特徴とする受付プログラム。
【００８１】
（付記２）
前記仮受付手段は、前記組合せとともに、前記センサ識別子によって特定される診療科を表す診療科コードを格納することを特徴とする付記１記載の受付プログラム。
【００８２】
（付記３）
前記仮受付手段は、前記受信手段によって受信した前記患者識別子が、患者識別子と診療科コードの組合せを格納した予約マスタに存在した場合は、前記受付テーブルに該患者識別子と該診療科コードの組合せを格納するとともに、該組合せを受付状態に更新することを特徴とする付記２記載の受付プログラム。
【００８３】
（付記４）
前記受付手段は、受付状態に更新する組合せの患者識別子と同じ患者識別子が含まれる組合せが既に受付状態で前記受付テーブルに存在した場合は、既に存在していた組合せに対する受付番号より前の受付番号を付与したうえで受付状態に更新することを特徴とする付記３記載の受付プログラム。
【００８４】
（付記５）
受付情報を管理する受付テーブルと、
医療機関内に複数設置されたセンサから、該センサが感知した患者識別子と該センサのセンサ識別子を受信する受信手段と、
前記受信手段によって受信した前記患者識別子と前記センサ識別子との組合せが前記受付テーブルに格納されているか否かを判定し、格納されていた場合は該組合せを削除し、格納されていなかった場合は該組合せを格納する仮受付手段と、
定期的に前記受付テーブルを参照し、格納されてから所定時間以上経過している組合せが存在した場合には、該組合せを受付状態に更新する受付手段と、
を備えることを特徴とする受付装置。
【００８５】
（付記６）
コンピュータを、
医療機関内に複数設置されたセンサから、該センサが感知した患者識別子と該センサのセンサ識別子を受信する受信手段と、
前記受信手段によって受信した前記患者識別子と前記センサ識別子との組合せが受付テーブルに格納されているか否かを判定し、格納されていた場合は該組合せを削除し、格納されていなかった場合は該組合せを格納する仮受付手段と、
定期的に前記受付テーブルを参照し、格納されてから所定時間以上経過している組合せが存在した場合には、該組合せを受付状態に更新する受付手段として動作させることを特徴とする受付プログラムを記録したコンピュータ読み取り可能な受付プログラム記録媒体。
【図面の簡単な説明】
【００８６】
【図１】本発明の受付プログラムの一実施形態に基づく受付装置のブロック図である。
【図２】本実施形態の受付装置のハードウエア構成を示す図である。
【図３】本実施形態の受付装置で用いられる場所マスタの内容を示す図である。
【図４】本実施形態の受付装置で用いられるＩＣセンサマスタの内容を示す図である。
【図５】本実施形態の受付装置で用いられる診療科マスタの内容を示す図である。
【図６】本実施形態の受付装置で用いられる予約マスタの内容を示す図である。
【図７】本実施形態の受付装置で用いられる受付番号テーブルの内容を示す図である。
【図８】本実施形態の受付装置で用いられる受付番号テーブルの内容を示す図である。
【図９】本実施形態の受付装置で用いられる受付テーブルの内容の変化を示す図である。
【図１０】本実施形態の受付装置で用いられる受付テーブルの内容の変化を示す図である。
【図１１】本実施形態の受付装置で用いられる受付テーブルの内容の変化を示す図である。
【図１２】本実施形態の受付装置で用いられる受付テーブルの内容の変化を示す図である。
【図１３】本実施形態の受付プログラム及び受付プログラム記録媒体の概略構成を示す図である。
【図１４】本実施形態の受付プログラムの動作を示すフローチャートの前半部分を示す図である。
【図１５】本実施形態の受付プログラムの動作を示すフローチャートの後半部分を示す図である。
【図１６】本実施形態における受付番号置換処理を説明する図である。
【符号の説明】
【００８７】
１    受付装置
２    病院入口センサ
３    総合受付
４    会計窓口
５    電算室
６    内科診察室
７    外科診察室
８    耳鼻科診察室
１０    ネットワーク
１１    内科第１待合所
１２    内科第２待合所
１３    外科第１待合所
１４    外科第２待合所
１５    耳鼻科待合所
２０，２０＿１，２０＿２，２０＿３，２０＿４，２０＿５    待合所センサ
３１    場所マスタ
３１ａ    場所コード
３１ｂ    場所名
３１＿１，３１＿２０＿３１＿３，３１＿４，３１＿５，３１＿６    場所レコード
３２    ＩＣセンサマスタ
３２ａ    ＩＣセンサＩＤ
３２ｂ    診療科コード
３２ｃ    場所コード
３２ｄ    受付判定基準時間
３２＿１，３２＿２０＿３２＿３，３２＿４，３２＿５，３２＿６    ＩＣセンサレコード
３３    診療科マスタ
３３ａ    診療科コード
３３ｂ    診療科名
３３ｃ    診療科略称
３３＿１，３３＿２０＿３３＿３，３３＿４，３３＿５，３３＿６    ＩＣセンサレコード
３４    予約マスタ
３４ａ    患者ＩＤ
３４ｂ    予約日
３４ｃ    予約開始時刻
３４ｄ    予約終了時刻
３４ｅ    診療科コード
３４＿１，３４＿２０＿３４＿３    予約レコード
４１    受付番号テーブル
４１ａ    最大受付番号
４２    受付テーブル
４２ａ    患者ＩＤ
４２ｂ    予約日
４２ｃ    受付時刻
４２ｄ    診療科コード
４２ｅ    受付番号
４２ｆ    ＩＣセンサＩＤ
４２ｇ    ＩＣセンサ感知開始時刻
４２ｈ    ＩＣセンサ感知終了時刻
４２ｉ    受付フラグ
４２ｊ    予約有フラグ
４２＿１，レコード４２＿２，…    受付レコード
５０    サーバ
６０    受付処理部
６１    受付テーブル
６２    受信手段
６３    仮受付手段
６４    受付手段
７０    受付プログラム
７１    受信手段
７２    仮受付手段
７３    受付手段
８０    受付プログラム記録媒体
【図１】
2005332153.tif 000003
【図２】
2005332153.tif 000004
【図３】
2005332153.tif 000005
【図４】
2005332153.tif 000006
【図５】
2005332153.tif 000007
【図６】
2005332153.tif 000008
【図７】
2005332153.tif 000009
【図８】
2005332153.tif 000010
【図９】
2005332153.tif 000011
【図１０】
2005332153.tif 000012
【図１１】
2005332153.tif 000013
【図１２】
2005332153.tif 000014
【図１３】
2005332153.tif 000015
【図１４】
2005332153.tif 000016
【図１５】
2005332153.tif 000017
【図１６】
2005332153.tif 000018